(57)【要約】【課題】本発明は、ズボン着用者の変化する身体条件に応じてウエストを柔軟に調節できるようにしたウエスト調節具およびそれが備えられたズボンを提供する。【解決手段】本発明は、ズボンのウエストバンドが少なくとも１ヶ所以上分離するように切開されて形成される内／外側重畳部に設置されてウエストを調節するようになるウエスト調節具であって、前記内側重畳部に横方向に裁縫され、上面にラッチ部が形成され、前記内側重畳部と接するようになる一側面の長さ方向に沿って突起部が突出形成されるガイドレール；および前記ガイドレールにスライド可能に結合されるように第１挿入部が設けられる移動部材と、前記移動部材の一側にヒンジ軸を中心として回転可能に弾支結合されて前記ラッチ部に係止固定される押片と、前記移動部材が前記外側重畳部に固定設置されるように前記移動部材の一側に結合される固定部材とからなる位置固定手段；を含んで構成されることを特徴とする。【選択図】図３
2011063922.tif 000002
【特許請求の範囲】
【請求項１】
ズボンのウエストバンドが少なくとも１ヶ所以上分離するように切開されて形成される内／外側重畳部に設置されてウエストを調節するようになるウエスト調節具であって、
前記内側重畳部に横方向に裁縫され、上面にラッチ部が形成され、前記内側重畳部と接するようになる一側面の長さ方向に沿って突起部が突出形成されるガイドレール；および
前記ガイドレールにスライド可能に結合できるように第１挿入部が設けられる移動部材と、前記移動部材の一側にヒンジ軸を中心として回転可能に弾支結合されて前記ラッチ部に係止固定される押片と、前記移動部材が前記外側重畳部に固定設置できるように前記移動部材の一側に結合される固定部材とからなる位置固定手段；
を含んで構成されることを特徴とするウエスト調節具。
【請求項２】
前記ガイドレールの他側面には前記内側重畳部に裁縫が容易なように長さ方向に形成される案内溝が備えられることを含む、請求項１に記載のウエスト調節具。
【請求項３】
前記ラッチ部は一方向が鋸歯形状で形成され、前記押片が一側方向のみに係止固定されることを特徴とする、請求項１に記載のウエスト調節具。
【請求項４】
ズボンのウエストバンドが少なくとも１ヶ所以上分離するように切開されて互いに重畳するように形成される内／外側重畳部；
前記内側重畳部に横方向に裁縫されて上面にラッチ部が形成され、前記内側重畳部と接するようになる一側面に長さ方向に沿って突起部が突出形成されるガイドレール；および
前記ガイドレールにスライド可能に結合できるように第１挿入部が設けられる移動部材と、前記移動部材の一側にヒンジ軸を中心として回転可能に弾支結合されて前記ラッチ部に係止固定される押片と、前記移動部材が前記外側重畳部に固定設置できるように前記移動部材の一側に結合される固定部材とからなる位置固定手段；を含んで構成されることを特徴とするウエスト調節具が備えられたズボン。
【請求項５】
前記内／外側重畳部は前記ズボン両側のポケット端が切開されてそれぞれ形成されることを特徴とする、請求項４に記載のウエスト調節具が備えられたズボン。
【請求項６】
前記ウエストバンドには前記ガイドレールが外部に露出しないように覆い布の両端が裁縫されて固定され、前記移動部材には前記覆い布の移動通路の役割をする第２挿入部が形成されることを含む、請求項４に記載のウエスト調節具が備えられたズボン。
【発明の詳細な説明】
【技術分野】
【０００１】
本発明は、ウエスト調節具およびそれが備えられたズボンに関し、より詳しくは、ズボン着用者の変化する身体条件に応じてウエストを柔軟に調節できるようにしたウエスト調節具およびそれが備えられたズボンに関する。
【背景技術】
【０００２】
一般的にズボンは、身体条件がそれぞれ異なる着用者が選択的に着用できるように多様なサイズで製作されている。
このようなズボンはウエストが固定された状態で製作されるため、着用者の身体変化、特に成長期の青少年のようにウエストが持続的に変化する場合には別途の修繕作業を行ったり、自身の体形に合う他のサイズのズボンを再購入しなければならないことが頻繁に発生している。
【０００３】
さらに、身体条件が変化しない状況であっても、過食などによって腹部が出た場合にもウエストが固定されているため、腹部を圧迫するようになるという問題点がある。
【０００４】
このような問題点を解決するために、着用者の身体条件に応じてズボンのウエストを柔軟に調節できるようにした技術が開示されていた。
【０００５】
図１は、従来のウエスト調節が可能な下衣の構成を示す図である。
図１を参照すれば、前記従来のウエスト調節が可能な下衣は、内側重畳部１３と外側重畳部１４が分離する構造でなされており、前記内側重畳部１３と外側重畳部１４の間には横方向に設置された突起板２１に固定部材３０が結合する構造でなされている。
【０００６】
しかしながら、前記のように、突起板２１と固定部材３０が結合してウエストを調節する構成は、前記突起板２１の構造的な結合のため、内側重畳部１３と外側重畳部１４の間が浮くようになる空間Ｓが形成される。したがって、ズボンの形態が変形する場合が発生するようになるなど着用時にしわができ、服の着こなしが決まらないという問題点がある。
【０００７】
また、前記固定部材３０の押片３４が内部に設置されているため、着用者がウエストを調節するのが不便であるという問題点がある。
【発明の概要】
【発明が解決しようとする課題】
【０００８】
本発明は上述した問題点を解決するために案出されたものであって、ズボン着用者の変化する身体条件に応じてウエストを柔軟に調節できるようにすると共に、ウエスト調節具をウエストバンドの内／外重畳部に密着するように設置できるようにしたウエスト調節具およびそれが備えられたズボンを提供することを目的とする。
【課題を解決するための手段】
【０００９】
上述したような目的を達成するために、本発明のウエスト調節具は、ズボンのウエストバンドが少なくとも１ヶ所以上分離するように切開されて形成される内／外側重畳部に設置されてウエストを調節するようになるウエスト調節具であって、前記内側重畳部に横方向に裁縫され、上面にラッチ部が形成され、前記内側重畳部と接するようになる一側面の長さ方向に沿って突起部が突出形成されるガイドレール；および前記ガイドレールにスライド可能に結合されるように第１挿入部が設けられる移動部材と、前記移動部材の一側にヒンジ軸を中心として回転可能に弾支結合されて前記ラッチ部に係止固定される押片と、前記移動部材が前記外側重畳部に固定設置されるように前記移動部材の一側に結合される固定部材とからなる位置固定手段；を含んで構成されることを特徴とする。
【００１０】
この場合、前記ガイドレールの他側面には前記内側重畳部に裁縫が容易なように長さ方向に形成される案内溝が備えられることを含む。
【００１１】
また、前記ラッチ部は一方向が鋸歯形状で形成され、前記押片が一側方向のみに係止固定されることを特徴とする。
【００１２】
ウエスト調節具が備えられたズボンであって、ズボンのウエストバンドが少なくとも１ヶ所以上分離するように切開されて互いに重畳されるように形成される内／外側重畳部；前記内側重畳部に横方向に裁縫され、上面にラッチ部が形成され、前記内側重畳部と接するようになる一側面に長さ方向に沿って突起部が突出形成されるガイドレール；および前記ガイドレールにスライド可能に結合されるように第１挿入部が設けられる移動部材と、前記移動部材の一側にヒンジ軸を中心として回転可能に弾支結合されて前記ラッチ部に係止固定される押片と、前記移動部材が前記外側重畳部に固定設置されるように前記移動部材の一側に結合される固定部材とからなる位置固定手段；を含んで構成されることを特徴とする。
【００１３】
また、前記内／外側重畳部は前記ズボン両側のポケット端が切開されてそれぞれ形成されることを特徴とする。
【００１４】
さらに、前記ウエストバンドには前記ガイドレールが外部に露出しないように覆い布の両端が裁縫されて固定され、前記移動部材には前記覆い布の移動通路の役割をする第２挿入部が形成されることを含む。
【発明の効果】
【００１５】
以上のような構成の本発明は、ウエストバンドの上側に押片が設置されてウエスト調節具の操作が容易であり、前記調節装置が内／外重畳部に密着するように設置されてズボン着用時のしわの発生を防ぐことにより、服の着こなしが決まるようになるという長所がある。
【図面の簡単な説明】
【００１６】
【図１】従来のウエスト調節が可能な下衣の構成を示す図である。
【図２】本発明に係るウエスト調節具が備えられたズボンの側面図である。
【図３】本発明に係るウエスト調節具の斜視図である。
【図４】本発明に係るウエスト調節具の側断面図である。
【図５】本発明に係るウエスト調節具の設置状態図である。
【図６】本発明に係るウエスト調節具が設置されたズボンの平面図である。
【図７】本発明の他の実施形態に係るウエスト調節具の斜視図である。
【図８】図７に示すウエスト調節具の分解斜視図である。
【発明を実施するための形態】
【００１７】
以下、添付の図面を参照しながら、本発明の好ましい実施形態の構成および作用について詳しく説明すれば次のとおりである。
ここで、各図面の構成要素に対して参照符号を付加するにおいて同じ構成要素に限っては、たとえ異なる図面上に表示されたとしても、可能な限り同じ符号で表記されていることに留意しなければならない。
【００１８】
［実施形態１］
図２は本発明に係るウエスト調節具が備えられたズボンの側面図であり、図３はウエスト調節具の斜視図であり、図４はウエスト調節具の側断面図である。
図２を参照すれば、本発明の好ましい一実施形態に係るズボン１００は、ウエストバンド１０１が少なくとも１ヶ所以上分離するように切開して互いに重畳するように重畳部を形成するようになる。この場合、前記重畳部は、ポケットの内側１０２と結合する内側重畳部１１０と、ポケットの外側１０３と結合する外側重畳部１２０を含んで構成される。前記内側重畳部１１０および外側重畳部１２０は互いに分離して離れた状態でなされており、ポケット内の裏地１０５は互いに所定幅に離隔した状態で前記内側重畳部１１０および外側重畳部１２０にそれぞれ連結するように構成される。このような前記内／外側重畳部１１０、１２０の構成は、公知技術と同じ構造でなされる。
【００１９】
この場合、前記内／外側重畳部１１０、１２０は、前記ズボン両側のポケット端１０６が切開されてそれぞれ形成される。
【００２０】
ここで、前記内／外側重畳部１１０、１２０の間にウエスト調節具２００を設置し、その連結部位が密着するように設置して服の着こなしが決まるようにした本発明に係るウエスト調節具２００は、ガイドレール２１０および位置固定手段２３０を含んで構成される。
【００２１】
このような本発明の構成について具体的に説明すれば次のとおりである。
図３〜図５を参照すれば、前記ガイドレール２１０は内側重畳部１１０（図２参照）の一面に横方向に裁縫されて固定されるもので、前記ガイドレール２１０の上面には一方向が鋸歯形状を有するラッチ部２１１が形成される。
【００２２】
この場合、前記内側重畳部１１０と面接するようになるガイドレール２１０の一側面には位置固定手段２３０がスライド可能に結合されるようにガイドする突起部２１３が突出形成され、他側面にはガイドレール２１０を内側重畳部１１０に裁縫作業が容易なようにガイドする案内溝２１５が裁縫ライン２１７に沿って形成される。
【００２３】
この場合、前記突起部２１３および案内溝２１５は、ガイドレール２１０が一側に片寄ることを防ぐことができるように、前記ガイドレール２１０の中心部に位置するようになる。すなわち、前記裁縫ライン２１７は突起部２１３に形成される。
【００２４】
前記位置固定手段２３０は、一側面が外側重畳部１２０に固定された状態で前記ガイドレール２１０にスライド可能に結合するもので、このような位置固定手段２３０は、ウエストバンド１０１の左右に往復移動しながらズボン１００のウエストを調節するようになる。
【００２５】
このような前記位置固定手段２３０は、ガイドレール２１０にスライド可能に結合される移動部材２３１と、前記移動部材２３１の上側にヒンジ軸２３６を中心として回転可能に結合されてラッチ部２１１に係止固定される押片２３５と、前記移動部材２３１を外側重畳部１２０に固定設置する固定部材２３８を含んでなされる。
【００２６】
この場合、前記移動部材２３１にはガイドレール２１０が内挿されるように第１挿入部２３１ａが設けられ、前記第１挿入部２３１ａの一側にはガイドレール２１０の突起部２３１がスライド可能に結合されるように結合部２３３が形成される。
【００２７】
また、前記ヒンジ軸２３６には押片２３５を一側に弾支する弾性スプリング（図示せず）が挿入され、前記押片２３５を押す力が解除される場合に係止部２３５ａがラッチ部２１１に掛かるようになる。この場合、前記ラッチ部２１１は一方向が鋸歯形状で形成されており、押片２３５の係止部２３５ａは一側方向のみに係止固定する。
【００２８】
そして、前記移動部材２３１の他側面には外側重畳部１２０を間に置いて前記固定部材２３８の挿入孔２３８ａに締め結合されるように複数の挿入ピン２３２が対応するように形成される。この場合、前記挿入ピン２３２が挿入孔２３８ａに挿入された後、固定部材２３８の外側に突出する部分は固定部材２３８側に曲げて密着させれば位置固定手段２３０の設置が完了する。
【００２９】
このような前記固定部材２３８は、外側重畳部１２０の裁縫が完了する以前に前記外側重畳部１２０に内挿設置され、外部に露出しないようにすることが好ましい。
【００３０】
一方、前記ウエストバンド１０１にはガイドレール２１０が外部に露出することを防ぐことができるように隠す覆い布２５０がさらに備えられる。前記覆い布２５０はガイドレール２１０に対応する形状で配置され、その両端が裁縫されて固定される。
【００３１】
この場合、前記移動部材２３１には覆い布２５０の移動通路の役割をする第２挿入部２３１ｂが形成され、覆い布２５０が移動部材２３１の往復移動に干渉されることを防ぐことができるようになる。これにより、前記移動部材２３１がガイドレール２１０と覆い布２５０の長さ方向に沿って円滑に往復移動できるようになる。
【００３２】
この場合、前記覆い布２５０はウエストバンド１０１と同じ材質および色相の布で形成され、外部から見るときに前記ガイドレール２１０を隠蔽させるようになる。
【００３３】
それでは、以上のような構成の本発明のウエスト調節具２００が備えられたズボン１００のウエストを調節する方法について、図６を参照しながら説明する。
【００３４】
まず、ズボン１００を着用した状態でウエストを調節しなければならない場合には、ズボン１００両側のポケット端１０６付近に設置された位置固定手段２３０の押片２３５を押すようになる。
【００３５】
前記押片２３５はラッチ部２１０の一方向の鋸歯形状によって  一側方向（ウエストを減らす方向）には円滑に移動できる反面、反対方向（ウエストを伸ばす方向）にはラッチ部２１０の垂直部分に押片２３５の係止部２３５ａが掛かるようになる構造を有する。
【００３６】
したがって、ズボン１００のウエストを伸ばすためには必ず押片２３５を押して移動部材２３１を移動させた後、押片２３５の押し動作を解除すれば前記押片２３５が弾性力によって復帰しながら係止部２３５ａがラッチ部２１１に掛かるようになって、その位置が固定される。
【００３７】
以上では、本発明に係るウエスト調節具２００をズボンの一側に設置した例を図示しながら説明したが、前記ウエスト調節具２００はズボン１００の両側ポケット端１０６に互いに対称するように設置される。
【００３８】
また、本発明では、ガイドレール２１０が内側重畳部１１０に設置され、前記位置固定手段２３０が外側重畳部１２０に設置された場合を例示したが、これとは反対の場合で設置されてもよい。
【００３９】
［実施形態２］
本発明の他の好ましい実施形態が示される図７および図８を参照すれば、ウエスト調節具は第１実施形態と同様に、ガイドレール３１０、位置固定手段３３０、押片３３５、およびヒンジ軸３３６を含む。上述した第１実施形態と異なる点は、ウエスト調節具の小型化のために前記ガイドレール３１０および位置固定手段３３０の大きさを減らしたことが特徴である。具体的に本実施形態に係る位置固定手段３３０は、上述した第１実施形態とは異なり、第１挿入部３３１ａおよび第２挿入部３３１ｂが同一平面に位置することによってウエスト調節具の全体的なサイズが減少した。
【００４０】
作動原理およびズボンに固定する方式は上述した第１実施形態と同じであるため、詳細な説明は省略する。
【００４１】
このように本発明に係るウエスト調節具は、ズボンに設置された場合を一例として説明したが、スカートなどにも適用することができ、本発明の技術思想を逸脱しない範囲内で当該発明が属する技術分野において通常の知識を有する者によって多様な変更および修正が可能であることは言うまでもない。
【符号の説明】
【００４２】
１００  ・・・ズボン
１０１  ・・・ウエストバンド
１０６  ・・・ポケット端
１１０  ・・・内側重畳部
１２０  ・・・外側重畳部
２１０、３１０  ・・・ガイドレール
２１１  ・・・ラッチ部
２１３  ・・・突起部
２３０、３３０  ・・・位置固定手段
２３１  ・・・移動部材
２３１ａ、３３１ａ  ・・・第１挿入部
２３１ｂ、３３１ｂ  ・・・第２挿入部
２３５、３３５  ・・・押片
２３８  ・・・固定部材
２５０  ・・・覆い布
【図１】
2011063922.tif 000003
【図２】
2011063922.tif 000004
【図３】
2011063922.tif 000005
【図４】
2011063922.tif 000006
【図５】
2011063922.tif 000007
【図６】
2011063922.tif 000008
【図７】
2011063922.tif 000009
【図８】
2011063922.tif 000010